(57)【要約】【課題】風力発電で風力が少なくても、一日中、平均して安定して発電でき、又、人体に有害な低周波音が発生が少ない風力発電機を提供する。【解決手段】（イ）  風力発電の羽根に接着したリング（１）を設ける。（ロ）  風力発電の羽根に接着したリング（１）の外側面に永久磁石のＮ極の磁力の強い（５０ガウス〜２００ガウス）面（２）と永久磁石のＮ極の磁力の弱い（５ガウス〜１０ガウス）面（３）を交互に６ヶ所ずつ設ける。（ハ）  風力発電の羽根に接着したリング（１）を囲むリング（４）を設ける。リング（４）の内側面に永久磁石のＮ極の磁力の強い（５０ガウス〜２００ガウス）面（５）と永久磁石のＮ極の磁力の弱い（５ガウス〜１０ガウス）面（６）を交互に６ヶ所ずつ設ける。（ニ）  風力発電の羽根の前の部分と羽根の後ろの部分に車軸の軸受け（７）を設ける。【選択図】図１
2012145093.tif 000002
【特許請求の範囲】
【請求項１】
（イ）  風力発電の羽根に接着したリング（１）を設ける。
（ロ）  風力発電の羽根に接着したリング（１）の外側面に永久磁石のＮ極の磁力の強い（５０ガウス〜２００ガウス）面（２）と永久磁石のＮ極の磁力の弱い（５ガウス〜１０ガウス）面（３）を交互に６ヶ所ずつ設ける。
（ハ）  風力発電の羽根に接着したリング（１）を囲むリング（４）を設ける。
リング（４）の内側面に永久磁石のＮ極の磁力の強い（５０ガウス〜２００ガウス）面（５）と永久磁石のＮ極の磁力の弱い（５ガウス〜１０ガウス）面（６）を交互に６ヶ所ずつ設ける。
（ニ）  風力発電の羽根の前の部分と羽根の後ろの部分に車軸の軸受け（７）を設ける。
【発明の詳細な説明】
【技術分野】
【０００１】この発明は、従来の風力発電機に較べ、発電効率が非常に良く、かつ人体に有害な低周波音をほとんど発生しない風力発電機に関するものである。
【背景技術】
【０００２】従来の風力発電機は２枚ないし３枚の羽根で、風を受けとめ、その風力から回った羽根の中心部分から羽根の後ろの中心の車軸の部分に動力が伝わり発電するという構造であった。
【発明の開示】
【発明が解決しようとする課題】
【０００３】これは次のような欠点があった。
（イ）従来の風力発電機では、風がまったく吹かない無風の時や、非常に風力が弱い時は、羽根が回らないので発電できない。
このため、１日、平均して安定的に発電できなかった。
（ロ）従来の風力発電機では、羽根の中心部分と車軸をつなぐ軸受けの部分に金属性のボールベアリングを使用しているため、とくに大型の風力発電機の羽根そのものの重量が非常に重たいので、羽根を支える負荷のモーメントと車軸を支える負荷のモーメントなどが２方向以上に発生するため、ボールベアリング等や内接する金属が、直接、触れて摩擦しあうので、どうしても人体に有害な低周波音をおおく発生せざるをえない構造だった。
【課題を解決するための手段】
【０００４】本考案の風力発電機は、一日中、平均して安定して、３枚の羽根が回るように、羽根の外周に二重の円形のリング（円環）が据えつけられている。内側のリング（１）は羽根と接着されている。このため羽根が回ると、内側のリング（１）も同時に回る。その内側のリング（１）の外側面は永久磁石のＮ極の磁力の強い部分（５０ガウス〜２００ガウス）（２）とＮ極の磁力の弱い部分（５ガウス〜１０ガウス）（３）が交互に均等に６ヵ所ずつある。
外側のリング（４）は内側のリング（１）と直接、接着されてなく、外側のリング（４）と内側のリング（１）は１ｍｍ〜５ｍｍ位の間隔がある。この外側のリング（４）は、風が吹いて、風力が発生しても、内側のリング（１）と違って、独立した支柱に支えられていて、また、羽根とも、直接、密着していないので回らない。
外側のリング（４）の内側面は永久磁石のＮ極の磁力の強い部分（５０ガウス〜２００ガウス）（５）とＮ極の磁力の弱い部分（５ガウス〜１０ガウス）（６）が交互に均等に６ヵ所ずつある。
このため内側（１）のリングの外側面が永久磁石のＮ極の部分になっており、外側のリング（４）の内側面が永久磁石のＮ極の部分になっているため、永久磁石の性質として、同じ極どうしでは、反発しあう斥力が働くので、風力によって回転を始めた羽根に、永久磁石のＮ極どうしの反発しあう斥力が加わり、風力が非常に弱い場合、通常の風力発電機の場合、羽根が動かないで止まるところが、本考案の風力発電機の場合は、永久磁石のＮ極どうしの反発しあう斥力が加わるので、羽根が回転でき、発電することができる。
また、従来の風力発電機では、羽根の中心の後ろの回転軸に伝える軸受けの部分に金属製のボールベアリングを備えていた。これは非常に重い羽根を一ヶ所の軸受けのボールベアリングの部分で支えているので、構造上、非常に無理があり、羽根を支える負荷のモーメントと軸を支える負荷のモーメントなどが２方向以上に発生するため、ボールベアリング等や内接する金属が、直接、触れて摩擦しあうので、どうしても、人体に有害な低周波音をおおく発生せざるをえない構造だった。
本考案は従来の風力発電機にはない、羽根の前の部分にも車軸があり、羽根の後ろの部分の車軸の長さと同じ長さであり、羽根の前の部分の回転軸と羽根の後ろの部分の回転軸が金属製のボールベアリングの軸受け部分（７）になっていて、２ヵ所、それぞれあり全体の回転軸と羽根を支えている。
従来の風力発電機にある、羽根の中心の後ろの金属製のボールベアリングの車軸受けの部分はない。前の車軸と後ろの車軸の２ヵ所で、金属製のボールベアリングで支えているので、従来の風力発電機による、構造上から、人体に有害な低周波音を発生せざるを得なかったのが、負荷のモーメントがそれぞれ前の車軸と後ろの車軸で受け止めているので、人体に有害な低周波音を８０％〜９０％減らすことができる。
【発明の効果】
【０００５】（イ）風がまったく吹かない時や、非常に風力が弱い時でも、羽根に接着している内側のリング（１）の外側面に永久磁石のＮ極があり、外側のリング（４）の内側面に永久磁石のＮ極があり、磁石の反発しあう斥力で安定した回転が得られるので、羽根の回転が途切れることなく安定した発電ができる。
（ロ）通常の風力発電機に使用している、羽根の中心の後ろの車軸に伝える、金属製のボールベアリングの部分はなく、本考案の風力発電機は、羽根の前の部分に車軸があり、羽根の後ろの車軸と同じ長さである。羽根の前の部分の車軸と羽根の後ろの車軸にそれぞれ１か所ずつ、金属製のボールベアリングの軸受（７）で車軸全体と羽根を支える構造になっている。このため、通常の風力発電機で発生する、人体に有害な低周波音が８０％〜９０％減らすことができる。
【発明を実施するための最良の形態】
【０００６】以下、本発明を実施するための最良の形態について説明する。
本考案の風力発電機は、一日中、平均して安定して、３枚の羽根が回るように、羽根の外周に二重の円形のリング（円環）が据えつけられている。内側のリング（１）は羽根と接着されている。このため羽根が回ると、内側のリング（１）も同時に回る。その内側のリング（１）の外側面は永久磁石のＮ極の磁力の強い部分（５０ガウス〜２００ガウス）（２）とＮ極の磁力の弱い部分（５ガウス〜１０ガウス）（３）が交互に均等に６か所ずつある。
外側のリング（４）は内側のリング（１）と直接、接着されてなく、外側のリング（４）と内側のリング（１）は１ｍｍ〜５ｍｍ位の間隔がある。この外側のリング（４）は、風が吹いて、風力が発生しても、内側のリング（１）と違って、独立した支柱に支えられていて、また、羽根とも、直接、密着していないので回らない。
外側のリング（４）の内側面は永久磁石のＮ極の磁力の強い部分（５０ガウス〜２００ガウス）（５）とＮ極の磁力の弱い部分（５ガウス〜１０ガウス）（６）が交互に均等に６ヵ所ずつある。
このため内側のリング（１）の外側面が永久磁石のＮ極の部分になっており、外側のリング（４）の内側面が永久磁石のＮ極の部分になっているため、永久磁石の性質として同じ極どうしでは、反発しあう、斥力がはたらくので、風力によって回転を始めた羽根に、この斥力が働くので、風力が非常に弱い場合、通常の風力発電機の場合、羽根が動かないで止まるところが、本考案の風力発電機の場合は、永久磁石の同じ極どうしの斥力が加わるので、羽根が回転でき、発電することができる。
また、従来の風力発電機では、羽根の中心の後ろの回転軸の軸受けの部分で金属製のボールベアリングを使用していた。これは構造上、非常に重たい羽根を一ヶ所で支えてるので、非常に無理があり、人体に有害な低周波音を発生せざるをえなかった。
本考案は従来の風力発電機にはない羽根の前の部分にも回転軸があり、羽根の後ろの部分の回転軸の長さと同じであり、羽根の前の部分の回転軸と羽根の後ろの部分の回転軸が金属製のボールベアリングで、２ヵ所、それぞれあり、全体の回転軸と羽根を支えている。従来の風力発電機にある羽根の中心の後ろの金属製のボールベアリングの車軸受けの部分はない。
前の車軸と後ろの車軸の２ヵ所で金属製のボールベアリングの軸受け（７）で、全体の回転軸と羽根を支えているので、従来の風力発電機による、構造上から、人体に有害な低周波音を発生せざるを得なかったのが、回転することによる、ボールベアリングの摩擦による負荷のモーメントが、それぞれ前の車軸のボールベアリング部分と後ろの車軸のボールベアリング部分で受け止めているので、人体に有害な低周波音を８０％〜９０％減らすことができる。
【図面の簡単な説明】
【０００７】
【図１】本発明の正面図である。
【図２】本発明の側面図である。
【図３】本発明の上面図である。
【図４】本発明の内側のリングと羽根の部分の斜面図であり、部分図である。
【図５】本発明の外側のリングの斜面図であり、部分図である。
【図６】本発明の側面図であり、断面図である。
【符号の説明】
【０００８】１  羽根
２  羽根に接着している内側のリング
３  羽根に接着していない外側のリング
４  風力発電機を支える支柱
５  風力を電力に変える機械
６  永久磁石の磁力の強い（５０ガウス〜２００ガウス）の部分
７  永久磁石の磁力の弱い（５ガウス〜１０ガウス）の部分
８  羽根に接着していない外側のリングを支える支柱
９  ボールベアリングで車軸を受けている部分
【図１】
2012145093.tif 000003
【図２】
2012145093.tif 000004
【図３】
2012145093.tif 000005
【図４】
2012145093.tif 000006
【図５】
2012145093.tif 000007
【図６】
2012145093.tif 000008